(57)【要約】【課題】  外寸を小さくしながらも、接触ばねが最低限保護されていると共に雄型端子との間に必要な接触圧が確保された雌型端子を提供する。【解決手段】  接触ばねが、嵌合方向に延在する第１縁を有する第１アーム部と、雄型端子と接触する接点が設けられた、第１縁に沿って延在し先端部分は第１縁に接続し先端部分以外は第１縁と切り離された第２アーム部とを有し、第１アーム部と第２アーム部とによって断面がＬ形状に構成されたものであり、この雌型端子がさらに、第２アーム部から見て第１アーム部が存在する側で第２アーム部に対向する接触ばね保護壁と、第１アーム部から見て第２アーム部が存在する側で第１アーム部に対向する第１面を有するとともに第２アーム部を挟んで接触ばね保護壁に対向する第２面を有する第２接触ばね保護壁とを備えた。【選択図】        図４
2006054166.tif 000002
【特許請求の範囲】
【請求項１】
単一の接触ばねを有し、雄型端子と嵌合する雌型端子であって、
前記接触ばねが、嵌合方向に延在する第１縁を有する第１アーム部と、雄型端子と接触する接点が設けられた、前記第１縁に沿って延在し先端部分は該第１縁に接続し先端部分以外は該第１縁と切り離された第２アーム部とを有し、前記第１アーム部と前記第２アーム部とによって断面がＬ形状に構成されたものであり、
この雌型端子がさらに、前記第２アーム部から見て前記第１アーム部が存在する側で前記第２アーム部に対向する接触ばね保護壁と、
前記第１アーム部から見て前記第２アーム部が存在する側で前記第１アーム部に対向する第１面を有するとともに前記第２アーム部を挟んで前記接触ばね保護壁に対向する第２面を有する第２接触ばね保護壁とを備えたものであることを特徴とする雌型端子。
【請求項２】
前記接触ばね保護壁が、前記第１アーム部の前記第１縁とは反対側の第２縁に対して前記第１縁と前記第２縁とを結ぶ方向に間隔をあけて前記第１アーム部を保護する保護部を有するものであることを特徴とする請求項１記載の雌型端子。
【請求項３】
前記第２接触ばね保護壁が、前記第１アーム部の前記第１縁に対して、前記第１アーム部の、前記第１縁とは反対側の第２縁と前記第１縁とを結ぶ方向に間隔をあけて前記第１アーム部を保護する保護部を有するものであることを特徴とする請求項１記載の雌型端子。
【請求項４】
前記第２接触ばね保護壁が、前記第２面に第２アーム部が存在する側とは反対側に向けた切り起こしにより、前記第２アーム部が存在する側とは反対側に突出した突出部を有するものであることを特徴とする請求項１記載の雌型端子。
【発明の詳細な説明】
【技術分野】
【０００１】
本発明は、雄型端子と嵌合する雌型端子に関する。
【背景技術】
【０００２】
従来より、相手となる雄型端子と嵌合する方向に延在する縁を有する金属片と、この縁に沿って延在し先端部分がこの縁と接続し先端部分以外はこの縁と切り離された別の金属片とによって断面がＬ字形状となるように構成された、いわゆる接触ばねを対向させることでほぼ箱形とした接触部を有する雌型端子が知られている（例えば、特許文献１参照。）。
【０００３】
この特許文献１に示す雌型端子では、上述したように、２つの接触ばねを対向させて用いることで雄型端子との間で所望の接触圧が得られる。
【特許文献１】特表平３−５０２６２２号公報
【発明の開示】
【発明が解決しようとする課題】
【０００４】
しかし、上記のようなタイプの雌型端子では、対向する２つの接触ばねを保護する保護部材が備えられており、これにより外寸が大きくなるという問題がある。
【０００５】
本発明は、上記事情に鑑み、外寸を小さくしながらも、接触ばねが最低限保護されていると共に雄型端子との間に必要な接触圧が確保された雌型端子を提供することを目的とする。
【課題を解決するための手段】
【０００６】
上記目的を達成するための本発明の雌型端子は、
単一の接触ばねを有し、雄型端子と嵌合する雌型端子であって、
上記接触ばねが、嵌合方向に延在する第１縁を有する第１アーム部と、雄型端子と接触する接点が設けられた、上記第１縁に沿って延在し先端部分はこの第１縁に接続し先端部分以外はこの第１縁と切り離された第２アーム部とを有し、上記第１アーム部と上記第２アーム部とによって断面がＬ形状に構成されたものであり、
この雌型端子がさらに、上記第２アーム部から見て上記第１アーム部が存在する側で上記第２アーム部に対向する接触ばね保護壁と、
上記第１アーム部から見て上記第２アーム部が存在する側で上記第１アーム部に対向する第１面を有するとともに上記第２アーム部を挟んで上記接触ばね保護壁に対向する第２面を有する第２接触ばね保護壁とを備えたものであることを特徴とする。
【０００７】
本発明の雌型端子では、接触ばね保護壁および第２接触ばね保護壁の第１面に、従来は１対だった接触ばねのうちの一方の接触ばねの機能、すなわち嵌合する雄型端子をもう一方の接触ばねに押し付ける機能と、接触ばねを保護する保護部材としての機能とを兼用させ、外寸を小さくしている。また、本発明の雌型端子では、嵌合する雄型端子との接触を図る上で特に重要な、接点が設けられた第２アーム部が第２接触ばね保護壁の第２面によっても保護されている。すなわち、本発明の雌型端子によれば、外寸を小さくしながらも、雄型端子を接触バネに押し付ける機能を確保すると共に接触ばねを保護する機能も確保している。
【０００８】
ここで、上記接触ばね保護壁が、上記第１アーム部の上記第１縁とは反対側の第２縁に対して上記第１縁と上記第２縁とを結ぶ方向に間隔をあけて上記第１アーム部を保護する保護部を有するものであることが好ましく、また、上記第２接触ばね保護壁が、上記第１アーム部の上記第１縁に対して、上記第１アーム部の、上記第１縁とは反対側の第２縁と上記第１縁とを結ぶ方向に間隔をあけて上記第１アーム部を保護する保護部を有するものであることも好ましい態様である。
【０００９】
このようにすると、第２アーム部と連動する第１アーム部を上記第１縁と上記第２縁とを結ぶ方向において保護することができる。
【００１０】
また、上記第２接触ばね保護壁が、上記第２面に第２アーム部が存在する側とは反対側に向けた切り起こしにより、上記第２アーム部が存在する側とは反対側に突出した突出部を有するものであることも好ましい。
【００１１】
このようにすると、例えば、この第２面が薄いものであっても、圧入されたコネクタハウジング内での係止を確実に行なうことができる。
【発明の効果】
【００１２】
本発明の雌型端子によれば、外寸を小さくしながらも、接触ばねが最低限保護されていると共に雄型端子との間に必要な接触圧を確保することができる。
【発明を実施するための最良の形態】
【００１３】
以下、本発明の雌型端子の実施形態について説明する。
【００１４】
図１は、本発明の雌型端子の第１実施形態の上方からの外観斜視図である。
【００１５】
図１に示す、本実施形態の雌型端子１は、金属板からの打ち抜き加工、および曲げ加工によって形成されたものであり、相手端子が嵌入される接触部１１とワイヤが圧着される圧着部１２とで構成される。圧着部１２の後端は、製造工程において用いられるキャリア部１３に連結されている。
【００１６】
雌型端子１の接触部１１は、雄型端子が嵌入される嵌入口１１ａを有する、略箱型のものであり、雌型端子１の圧着部１２には、電線の心線を把持するワイヤバレル１２１と電線の被覆部分を把持するインシュレーションバレル１２２とが備えられている。また、図１には、接触部１１の上面に係止部１１４１、穿孔１１４２、ガイド部１１４４が備えられている様子が示されているが、これらについては後述する。尚、圧着部１２およびキャリア部１３については、本発明とは無関係であるので説明を省略し、以下、接触部１１についてのみ説明する。
【００１７】
図２は、本実施形態の下方からの外観斜視図である。
【００１８】
図２には、打ち抜き加工を施した金属板をほぼ箱型になるように折り曲げて形成されている接触部１１を有する雌型端子１を下方から見上げた様子が示されている。
【００１９】
また、図２には、接触部１１を構成する、詳しくは後述する、連動アーム１１２と、第１保護アーム１１３と、第２保護アーム１１４とが示されており、第１保護アーム１１３は、連動アーム１１２を保護する保護部１１３１を有している。第２保護アーム１１４は、連動アーム１１２を保護する折曲げ部１１４３、嵌入口１１ａ（図１参照）を形成するＵ字部１１４５、さらには、嵌入される雄型端子を嵌入口１１ａに案内するガイド部１１４４を有している。
【００２０】
図３は、本実施形態の雌型端子の正面図および側面図である。
【００２１】
図３（ａ）には、雌型端子１の嵌入口１１ａ側からこの雌型端子１を見た様子が示され、嵌入される雄型端子と接触する接点１１１ａを有する接触アーム１１１と、この接触アーム１１１と先端部分のみが繋がっていることにより接触アーム１１１と連動して動く連動アーム１１２とによりＬ字形状が形成されている様子が示されている。図３（ｂ）には、雌型端子の左側面図が示されており、ここには、第２保護アーム１１４が示されている。
【００２２】
図４は、本実施形態の雌型端子の断面図である。
【００２３】
図４（ａ）には、雌型端子１の接触部１１のＡ―Ａ断面（図３（ａ）参照）が示されており、図４（ｂ）には、雌型端子１の接触部１１のＤ―Ｄ断面（図４（ａ）参照）が示されている。
【００２４】
この雌型端子１は、金属板に対し打ち抜き加工を施した後、金属板の端部の、接触アーム１１１に該当する部分を内側に巻き込みながら略箱型に折り曲げられて形成されており、さらに、接触アーム１１１は、接触部１１の奥側から嵌入口１１ａに向かって傾斜するように折り曲げられている。
【００２５】
接触部１１は、雄型端子と接触する接点１１１ａが設けられた接触アーム１１１と、この接触アーム１１１の先端部分は接続されてはいるものの先端部分以外は切り離されている、雄型端子との嵌合方向に沿って延在する第１の縁１１２１を有する連動アーム１１２とを備えており、これら接触アーム１１１と連動アーム１１２とにより、断面がＬ字形状の接触ばねが構成されている。
【００２６】
また、接触部１１は、接触アーム１１１から見て連動アーム１１２が存在する側で接触アーム１１１と対向して配備されて接触ばねを保護する第１保護アーム１１３と、連動アーム１１２から見て接触アーム１１１が存在する側で連動アーム１１２と対向して配備されて接触ばねを保護する第１の面１１４ａ、および、接触アーム１１１を挟んで第１保護アーム１１３に対向して配備されて接触ばねを保護する第２の面１１４ｂを有する第２保護アーム１１４とを備えている。
【００２７】
この接触部１１では、図４（ｂ）に示すように、第２保護アーム１１４の第２の面１１４ｂにより接触アーム１１１の上方が覆われている。また、図２にも示すように、第２保護アーム１１４には、連動アーム１１２の第１の縁１１２１側に折り曲げられた折曲げ部１１４３が備えられている。また、図４（ｂ）に示すように、第１保護アーム１１３には、連動アーム１１２の第１の縁１１２１とは反対側の第２の縁１１２２側に保護部１１３１が備えられている。尚、図１および図３（ｂ）に示すように、接触アーム１１１の圧着部１２側には、第２保護アーム１１４の、第１の面１１４ａと第２の面１１４ｂとの境目に穿設された穿孔１１４２に嵌め込まれることで接触アーム１１１の圧着部１２側の位置を決める突起１１１１が備えられている。また、図２および図４（ａ）に示すように、第１保護アーム１１３の、接触アーム１１１に設けられた接点１１１ａと対向する部分は、嵌入された雄型端子をより確実に接点１１１ａに押し付けるために盛り上げられている。
【００２８】
本実施形態の雌型端子１では、この第１保護アーム１１３および第２保護アーム１１４の第１の面１１４ａに、従来は１対だった接触ばねのうちの一方の接触ばねの機能、すなわち嵌合する雄型端子をもう一方の接触ばねに押し付ける機能と、接触ばねを保護する保護部材の機能とを兼用させ、また、嵌合する雄型端子との接触を図る上で特に重要な、接点が設けられた接触アーム１１１が第２保護アーム１１４の第２の面１１４ｂによっても保護されている。これにより、本実施形態の雌型端子１によれば、外寸を小さくしながらも、接触ばねが最低限保護されていると共に雄型端子との間に必要な接触圧を確保することができる。さらに、この雌型端子１では、折曲げ部１１４３と保護部１１３１とにより、連動アーム１１２の第１の縁１１２１と、この第１縁１１２１の反対側の第２の縁１１２２とを結ぶ方向についてこの連動アーム１１２を保護している。
【００２９】
また、第２保護アーム１１４の第２の面１１４ｂには、接触アーム１１４が存在する側とは反対側に向けた切り起こしによる係止部１１４１が形成されており、これにより、第２保護アーム１１４の第２の面１１４ｂの厚みが薄くても、コネクタハウジングのハウジングランスとの間に必要な係合代を確保することができる。
【００３０】
次に、本発明の雌型端子の第２実施形態について説明する。
【００３１】
図５は、本実施形態の雌型端子の外観斜視図である。
【００３２】
図５（ａ）および図５（ｂ）には、本実施形態の雌型端子２の上下を互いに逆にした場合の外観斜視図がそれぞれ示されており、この雌型端子２は、雄型端子が嵌入され、嵌入された雄型端子との接触がとられる接触部２１と、電線が圧接される圧接部２２とで構成されている。尚、以下の図において示す部材のうち、図１から図４において示す部材と同じ種類の部材には、図１から図４において付されている符号と同じ符号が付されている。
【００３３】
第１実施形態の雌型端子１の接触部１１と第２実施形態の雌型端子２の接触部２１との相違点は、第１実施形態では、雄型端子と接触する接触アーム１１１が接触部１１の奥側から嵌入口１１ａに向かって下向きに傾斜していたのに対し、第２実施形態では、接触アーム１１１が嵌入口１１ａから接触部２１の奥側に向かって下向きに傾斜している点と、端子２が挿入されるコネクタハウジングからの脱落を防止するための係止部１１４１と、第１の面１１４ａと第２の面１１４ｂとの境目に穿設された穿孔１１４２とがそれぞれ２箇所に増やされている点である。
【００３４】
図５（ａ）には、第２保護アーム１１４の第２の面１１４ｂに備えられた係止部１１４１と、係止部１１４１の後方に係止部１１４１と整列して配置される突部１１４６と、連動アーム１１２を保護する、第２の保護アーム１１４の第２の面１１４ｂの端部に備えられた折曲げ部１１４３と、第１保護アーム１１３に備えられた保護部１１３１とが示されている。また、図５（ｂ）には、第１保護アーム１１３と、第２保護アーム１１４の第１の面１１４ａとが示されており、第１保護アーム１１３の中央付近には凹部１１３２ａが設けられ、第１の面１１４ａおよび不図示の第２の面１１４ｂの境目には、不図示の接触アーム１１１の位置決めを行なう突起１１１１が嵌め込まれる穿孔１１４２が２つ穿設されている。尚、圧接部２２についても、本発明とは無関係であるので説明は省略する。
【００３５】
図６は、本実施形態の雌型端子の側面図、底面図、および断面図である。
【００３６】
図６（ａ）および図６（ｂ）には、右側面図および左側面図それぞれが示され、図６（ｃ）には底面図が示されている。
【００３７】
図６（ａ）には、接触ばねを構成する接触アーム１１１、連動アーム１１２、連動アーム１１２を保護する折曲げ部１１４３、保護部１１３１、第２の保護アーム１１４の第２の面１１４ｂに備えられた係止部１１４１、および、第１保護アーム１１３に設けられた凹部１１３２ａ（図６（ｃ）参照）により第１保護アーム１１３の反対側に突出した凸部１１３２ｂが示されている。
【００３８】
図６（ｂ）には、第２保護アーム１１４の第１の面１１４ａと、この第２保護アーム１１４の第２の面１１４ｂとの境目に穿設された穿孔１１４２が２つ示されている。また、これら２つの穿孔１１４２には、接触アーム１１１に備えられた突起１１１１が嵌め込まれている様子が示されている。
【００３９】
図６（ｃ）には、第１保護アーム１１３に設けられた凹部１１３２ａが示されている。
【００４０】
図６（ｄ）および図６（ｅ）には、雌型端子２の接触部２１のＥ―Ｅ断面（図５（ａ）参照）およびＦ―Ｆ断面（図５（ｂ）参照）がそれぞれ示されており、図６（ｄ）には、接触アーム１１１が、嵌入口１１ａ（図５（ａ）参照）から接触部２１の奥側に向けて下方に傾斜している様子が示されている。
【００４１】
また、図６（ｄ）には、接触アーム１１１に備えられた接点１１１ａに対向して設けられた凸部１１３２ｂが示されており、接触部１１に嵌入されてきた雄型端子との接触は、この凸部１１３２ｂによってより確実なものとされている。
【００４２】
この、相手雄型端子との接点になる凸部１１３２ｂは、圧接部２２側に設けられているため、接点１１１ａが嵌入口１１ａ側に設けられた第１実施形態の雌型端子１に比べ相手雄型端子の低挿入化が実現されている。
【００４３】
図６（ｅ）には、接触アーム１１１と連動アーム１１２により構成された接触ばねが示されている。
【００４４】
以上説明したように、第２実施形態の雌型端子２によれば、外寸を小さくしながらも、接触ばねを保護すると共に雄型端子との間に必要な接触圧を確保することができ、これら折曲げ部１１４３と保護部１１３１とにより、連動アーム１１２の第１の縁１１２１と、この縁１１２１の反対側の第２の縁１１２２とを結ぶ方向についてこの連動アーム１１２を保護することができる。
【００４５】
また、第２保護アーム１１４の第２の面１１４ｂには、接触アーム１１４が存在する側とは反対側に向けた切り起こしによる係止部１１４１が形成されており、これにより、第２保護アーム１１４の第２の面１１４ｂの厚みが薄くても、コネクタハウジングのハウジングランスとの間に必要な係合代を確保することができる。また、前後に整列した係止部１１４１および突部１１４６は、偏心して形成されていることにより逆差防止機能も有している。
【００４６】
最後に、本発明の雌型端子の第３実施形態について説明する。
【００４７】
図７は、本実施形態の雌型端子の外観斜視図である。
【００４８】
図７には、第２実施形態の雌型端子２を示す図５（ａ）に対応する、本実施形態の雌型端子３の外観斜視図が示されており、本実施形態の雌型端子３と第２実施形態の雌型端子２との相違点は、連動アーム１１２と第１保護アーム１１３との間の第１折曲部１１２ａの長さが、第３実施形態の方が第２実施形態よりも長い点のみであるので、以下ではこの点について説明する。
【００４９】
図８は、第３実施形態の側面の一部を示す図である。
【００５０】
図８には、第２実施形態の図６（ａ）に示す点線Ｐで囲まれた部分に対応する、本実施形態の雌型端子３の右側面図の一部が示されており、ここには、第１折曲部１１２ａの長さが寸法Ａ、連動アーム１１２の付け根部分である付根部１１２ｂの長さ（幅）が寸法Ｃ、および、第２保護アーム１１４（図４（ｂ）参照）の第２の面１１４ｂ側の第２折曲部１１２ｃの長さが寸法Ｂで示されている。
【００５１】
これら寸法Ａ、Ｂ、およびＣの比は、第２実施形態の雌型端子２に比べ第１折曲部１１２ａの長さを第２折曲部１１２ｂより長くしたことにより１８：１２：７になっている。      
【００５２】
第１折曲部１１２ａは、連動アーム１１２が図８の上下方向に動くときの支点部分になるところであり、第２折曲部１１２ｃの寸法を変えずに第１折曲部１１２ａの寸法を長くしたことで、雌型端子の外寸を大きくすることなく、接触アーム１１１に備えられた接点１１１ａ（図６（ｄ）参照）と雄型端子の間の接触圧が、第１実施形態の雌型端子１はもとより第２実施形態の雌形端子２よりも高められている。即ち、本実施形態の雄型端子３では、上記３つの寸法の最適化を図ることで雌型端子の小型化を実現しつつ適正な接触圧が得られる。尚、本実施形態の雌型端子３でも、第２実施形態の雌型端子と同じく相手雄型端子との接点になる凸部１１３２ｂが圧接部側に設けられているため、相手雄型端子の低挿入力化も実現されている。
【００５３】
以上に説明した実施形態では、第２保護アーム１１４の第２の面１１４ｂの端部に備えられた折曲げ部１１４３と、第１保護アーム１１３に備えられた保護部１１３１と、コネクタハウジングに挿入された後の脱落を防止するための係止部１１４１とが備えられている例を挙げて説明したが、これらのうちの一部、あるいはこれら全てが備えられていないものであっても、本発明の効果が減却されるものではない。
【図面の簡単な説明】
【００５４】
【図１】本発明の雌型端子の第１実施形態の上方からの外観斜視図である。
【図２】本実施形態の下方からの外観斜視図である。
【図３】本実施形態の雌型端子の正面図および側面図である。
【図４】本実施形態の雌型端子の断面図である。
【図５】本実施形態の雌型端子の外観斜視図である。
【図６】本実施形態の雌型端子の側面図、底面図、および断面図である。
【図７】本実施形態の雌型端子の外観斜視図である。
【図８】第３実施形態の側面の一部を示す図である。
【符号の説明】
【００５５】
１、２  雌型端子
１１、２１  接触部
１１ａ  嵌入口
１１１  接触アーム
１１１ａ  接点
１１１１  突起
１１２  連動アーム
１１２ａ  第１折曲部
１１２ｂ  付根部
１１２ｃ  第２折曲部
１１２１  第１の縁
１１２２  第２の縁
１１３  第１保護アーム
１１３１  保護部
１１４  第２保護アーム
１１４ａ  第１の面
１１４ｂ  第２の面
１１４１  係止部
１１４２  穿孔
１１４３  折曲げ部
１１４４  ガイド部
１１４５  Ｕ字部
【図１】
2006054166.tif 000003
【図２】
2006054166.tif 000004
【図３】
2006054166.tif 000005
【図４】
2006054166.tif 000006
【図５】
2006054166.tif 000007
【図６】
2006054166.tif 000008
【図７】
2006054166.tif 000009
【図８】
2006054166.tif 000010